(57)【要約】【課題】軽量であり、設置後には容易に腐食して消滅しやすい覆土保持部材と工法を提供する。【解決手段】木材で製作した矩形の外枠と、外枠の内部に十文字状に配置した木製の十字枠と、十字枠の中心において、十字枠の表裏を貫通させた貫通筒とによって形成する。平面視「田」の字状の覆土保持部材と覆土保持部材を使用した工法である。【選択図】        図１
2011038345.tif 000002
【特許請求の範囲】
【請求項１】
木材で製作した矩形の外枠と、
外枠の内部に十文字状に配置した木製の十字枠と、
この十字枠の中心において、十字枠の表裏を貫通させた貫通筒とによって、
平面視「田」の字状に形成した、
法面の覆土保持部材。
【請求項２】
平面視「田」の字状に形成した覆土保持部材の枠内空間の内部に、
子枠を配置して形成した、
請求項１記載の法面の覆土保持部材。
【請求項３】
請求項１または２記載の覆土保持部材を使用し、
これを地山の法面に敷設し、
中心筒にアースアンカーやロックボルトを貫通して地山に定着し、
その後、覆土保持部材群の上に植生基盤材などを覆土して行う、
法面の覆土保持方法。
【発明の詳細な説明】
【技術分野】
【０００１】
本発明は、法面の覆土保持部材とその覆土保持部材を利用した覆土保持方法に関するものである。
【背景技術】
【０００２】
法面に植生をする場合には、まず法面に土や肥料、種などを混合した基盤材を、一定の厚さに吹き付ける工法が知られている。
その場合に単に基盤材を法面に吹き付けただけでは、降雨によって簡単に流されてしまう。
そのために、法面に井桁状にコンクリート製の枠を配置し、その井桁枠で囲まれた内部に基盤材を吹き付けるような各種の方法が開発されている。
【特許文献１】特開２００３−２７４８９号公報。
【発明の概要】
【発明が解決しようとする課題】
【０００３】
しかし上記したような従来の法面の覆土保持方法にあっては、法面にコンクリート製の法枠を形成するため、いずれの工法にしても多大な作業が必要となる、という問題がある。
さらに、コンクリート製の法枠は、それ自体が半永久的に残るから、法面に吹き付けた木草類が成長しても、人工的なコンクリート枠が自然の景観に違和感を与える。
ところで、わが国では間伐材の有効な利用が求められている。
間伐とは、成長過程で過密となった森林に対して、本数を調整するために枝を切り落とすことであり、健全で活力ある森林を育成するために必要な作業である。
切り落とした間伐材の積極的な活用は、森林所有者への適正な利益還元を通じ、間伐の推進等、森林の持続的な管理経営や山村地域の振興に大きく貢献することになる。
ところが、木材需要の低迷等から間伐が円滑に実施され難い状況であり、そのため土壌が流出しやすく、気象災害を受けやすい過密化した森林も多くなり健全な森林の育成が大きな課題となっている。
【課題を解決するための手段】
【０００４】
上記のような従来の装置の課題を解決した本発明の覆土保持部材は、木材で製作した矩形の外枠と、外枠の内部に十文字状に配置した木製の十字枠と、この十字枠の中心において、十字枠の表裏を貫通させた中心筒とによって、平面視「田」の字状に形成したものである。
【発明の効果】
【０００５】
本発明の法面の覆土保持部材と保持方法は以上説明したようになるから次のような効果を得ることができる。
＜イ＞  コンクリートを吹き付けて法枠を作るような工程がないから、作業の効率がよく、経済的に覆土を保持することができる。
＜ロ＞  覆土を保持する部材が、軽量な木材によって製造してあるから、足場の悪い法面に持ち上げたり、法面上に設置する作業も容易であって、安全で経済的である。
＜ハ＞  保持部材の主要部は木材で製造してあるから、数年を経れば腐食して土に帰ってしまい、景観を妨げる部材が消滅して違和感を与えることがない。
＜ニ＞  森林の健全な育成のためには、間伐材に経済的な価値を持たせることが必要であるが、本発明の覆土保持部材は、間伐材を利用するのにちょうど良い形状、寸法であって、森林の健全な育成に寄与することができる。
【図面の簡単な説明】
【０００６】
【図１】本発明の法面の覆土保持部材の実施例の分解説明図。
【図２】覆土保持部材を敷設した状態の斜視図。
【図３】当金具の他の実施例の説明図。
【図４】貫通筒の他の実施例の説明図。
【図５】枠内空間に子枠を設けた実施例の説明図。
【図６】覆土保持工法の説明図。
【発明を実施するための形態】
【０００７】
以下図面を参照しながら本発明の法面の覆土保持部材の実施例を説明する。
【実施例】
【０００８】
＜１＞全体の構成。
本発明は、法面の覆土を保持する保持部材Ａを法面Ｄに敷設して行うものである。そのために覆土を保持する保持部材Ａと、その保持部材Ａを利用した工法に特徴を有している。
【０００９】
＜２＞覆土保持部材。
まず覆土保持工法に使用する覆土保持部材Ａについて説明する。
この覆土保持部材Ａは、外枠１と十字枠２、および貫通筒３によって構成する。
【００１０】
＜２−１＞外枠。
外枠１は、木製の角材を正方形、長方形に組み合わせた枠体である。
この外枠１は木材で製作するために軽量であるという特徴を備えている。これは足場の悪い法面Ｄでの作業にとってきわめて大きな利点である。
さらに木製であるから数年で腐食して土に戻るという特性を期待することができる。
さらにこの外枠１と、後述する十字枠２を間伐材で製作すれば、間伐材の経済価値を高めて、森林の健全な育成に貢献することができる。
【００１１】
＜２−２＞十字枠。
外枠１の内部には十字枠２を配置する。
この十字枠２は、木製の角材を十文字状に配置した枠体である。
この木製の十字枠２を、前記した外枠１の内部に配置し、矩形のプレートをねじ止めして両者を一体化する。
内部に配置した十文字状の十字枠２と、その外部に位置する矩形の外枠１とによって、平面視「田」の字状の木製パネルを形成することができる。
したがって十字枠２と外枠１との間隔には、四箇所に枠内空間を形成することが出来、その枠内空間にも基盤材Ｂが充填されるので、降雨の場合の基盤材の流下を阻止することができる。
【００１２】
＜２−３＞貫通筒。
十字枠２の中心には、貫通筒３を設置する。
貫通筒３は、単なる鋼製の筒体である。
この貫通筒３を、当金具８の中心に、直立した状態で溶接して固定する。貫通筒３を単なる筒体ではなく、図４に示すように、裁頭円錐形に形成することもできる。
このような形状に形成すると、後述するアンカーＣを設置する場合に、アンカーＣの鋼線の打ち込み角度が法面Ｃ表面に直交していない場合でも、アンカーＣ鋼線が当金具８などに当たることなく配置することができる。
【００１３】
＜２−４＞当金具。
貫通筒３を取り付ける当金具８は、十字状に切断した鋼板（図１）、あるいは矩形の鋼板（図３）によって構成する。
この当金具８は、後述するように木製の十字枠２の裏側に取り付ける鋼製の板であり、ネジ穴を開口してあり、さらに十字枠２の移動を拘束する爪板を突設してある。
【００１４】
＜２−５＞十字金具。
十字金具４は、木製の十字枠２の表面に取り付ける鋼製の板である。
その平面形状は十文字状を呈する。
この十字金具４は、貫通筒３を備えていない。
それに代わって、当金具８の貫通筒３に相当する中心位置に、円形の孔を貫通孔４１として開口してある。
【００１５】
＜２−６＞十字枠の取り付け。
この当金具８の表面にその四周から、木製の十字枠２を取り付ける。
当金具８と、木製の十字枠２は、ネジ止めする。
貫通筒３を溶接した当金具８の表面に十字枠２を固定したら、その上から貫通筒３に中心の貫通孔を一致させた状態で、十字金具４をネジ止めする。
その結果、外枠１内の十字枠２の中心に貫通筒３が表裏を貫通した、平面視「田」の字状の覆土保持部材Ａを構成することができる。
【００１６】
＜２−７＞子枠。
本発明の覆土保持部材Ａの基本構成は、外枠の内部に十字枠を取り付けた、平面視「田」の字状の枠体である。
しかしその「田」字状の枠内空間７にさらに短尺の木材の桟木を子枠９として配置することもできる。
この子枠９は、枠内空間７に斜めに、あるいは十字状に配置することができる。
その結果、外枠１の寸法が大きくなった場合でも、土砂の移動による変形に対して抵抗して形状を保持することができる。
【００１７】
＜３＞覆土の保持方法。
次に法面の覆土の保持方法について説明する。
【００１８】
＜４＞法面の整形。
保護すべき対象である法面Ｄの表面の整形を行う。
【００１９】
＜５＞覆土保持部材の設置。
整形の終わった法面Ｄに、前記した木製パネルである覆土保持部材Ａを、一定の間隔を介在させて敷設する。
その際に、多数の覆土保持部材Ａを足場の悪い法面に運び上げ、あるいは運び降ろして敷設する作業を行う必要があるが、本発明の覆土保持部材Ａが軽量な木材を中心にして製造した建設部材であるから、コンクリート製、鋼製の法枠などを運搬する方法に比較してその作業はきわめて容易であり、かつ安全である。
【００２０】
＜６＞アンカーの打設。
敷設した覆土保持部材Ａの貫通筒３にアースアンカーやロックボルトなどのアンカーＣを貫通して法面Ｄの地山に定着する。
この定着方法は、公知の多数の方法の中から、その地盤の性質に合った方法を選択して行うことができる。
こうして法面Ｄに敷設した多数の覆土保持部材Ａのすべてを、アンカーＣを介して地盤に定着させる。
【００２１】
＜７＞基盤材による被覆。
その後に、覆土の例として公知の植生の基盤材Ｂを、エアーの圧力などを利用して法面に吐出する。
その場合に、基盤材Ｂの厚さは、法面Ｄに分散して設置した覆土保持部材Ａの厚さ以上の厚さで、覆土保持部材Ａの上をほぼ覆うように吐出する。
したがって、覆土保持部材Ａは完全に基盤材Ｂ内に埋没するか、あるいは基盤材Ｂの表面から表面がわずかに露出している程度で覆土がなされる。
基盤材Ｂは、覆土保持部材Ａの外側だけではなく、覆土保持部材Ａの十字枠２と外枠１とで囲まれた枠内空間７の中にも充填される。
【００２２】
＜８＞覆土の保持効果。
施工後の法面Ｄでは、基盤材Ｂの内部に多数の覆土保持部材Ａが分散配置された状態で風雨にさらされる。
その場合に、雨水によって基盤材Ｂが流下しようとしても、適宜の間隔で配置してある覆土保持部材Ａが、その移動の抵抗となり、流下を阻止することができる。
【００２３】
＜９＞腐食の効果。
本発明の覆土保持部材Ａは、その中心の十字金具４、貫通筒３を除いて、その主要部はすべて木材で製造したものである。
その覆土保持部材Ａが基盤材Ｂの中に埋まっているので、数年もすると木材部分が腐食して土に帰ってしまう。
そのように主要部が消滅してしまうので、コンクリート製、鋼製の法枠とは異なり、法面Ｄには人工物が残ることがなく、自然な景観を短時間で取り戻すことができる。
【符号の説明】
【００２４】
Ａ：覆土保持部材
１：外枠
２：十字枠
３：貫通筒
４：十字金具
５：アンカー
６：基盤材
７：枠内空間
８：当金具
９：子枠
Ｂ：基盤材
Ｃ：アースアンカー
Ｄ：法面
【図１】
2011038345.tif 000003
【図２】
2011038345.tif 000004
【図３】
2011038345.tif 000005
【図４】
2011038345.tif 000006
【図５】
2011038345.tif 000007
【図６】
2011038345.tif 000008